(57)【要約】  【構成】  吸気口から吸入された外気は旋回器１８によって旋回され、これによって塵埃と空気とが互いに分離される。分離された塵埃は集塵室２０に堆積し、分離された空気は排気口に装着された排気ガイド２２を通して排出される。ここで、旋回器１８と排気口とは、排気ガイド２２が挿入される孔１８ｃを有する隔壁１８ｂによって分離される。また、排気ガイド２２の外周には、係合部材２２ｃが形成される。排気ガイド２２の開口２２ａから係合部材２２ｃの端部２２ｄまでの距離と、排気ガイド２２の開口２２ｂから係合部材２２ｅまでの距離とは、互いに異なる。排気ガイド２２の位置は、隔壁１８ｂと係合部材２２ｃとを当接させることによって規定される。  【効果】  排気ガイド２２を開口２２ｂから旋回器１８に挿入することで、集塵室２０に付着した埃を容易に取り除くことができる。【選択図】  図２
2005211546.tif 000002
【特許請求の範囲】
【請求項１】
吸気口から吸入された外気を旋回器で旋回させて塵埃と空気とを互いに分離し、前記塵埃を集塵ケースに堆積させ、前記空気を排気口に装着された排気管を通して排出する集塵装置において、
排気管が挿入される孔を有する隔壁によって前記旋回器と前記排気口とを分離し、
前記排気管の一方端から第１距離を隔てた位置に第１端部を有し、かつ前記排気管の他方端から第２距離を隔てた位置に第２端部を有する係合部材を前記排気管の外周面に形成し、
前記隔壁と前記第１端部および前記第２端部の一方とを当接させることによって前記排気管の挿入位置を規定するようにしたことを特徴とする、集塵装置。
【請求項２】
前記排気管の前記一方端および前記他方端はテーパ状に形成される、請求項１記載の集塵装置。
【請求項３】
前記排気管の長さ方向に対するテーパ面の角度は前記一方端および前記他方端の間で互いに一致する、請求項２記載の集塵装置。
【請求項４】
前記第１距離は前記集塵ケースに堆積した前記塵埃の排出を防止できる距離であり、
前記第２距離は前記集塵ケースに堆積した前記塵埃の排出を可能とする距離である、請求項１ないし３のいずれかに記載の集塵装置。
【発明の詳細な説明】
【技術分野】
【０００１】
この発明は、集塵装置に関し、特にたとえば、電気掃除機に適用され、吸気口から吸入された外気を旋回器によって旋回させて塵埃と空気とを互いに分離し、塵埃を集塵ケースに堆積させ、空気を排気口に装着された排気管を通して排出する、集塵装置に関する。
【背景技術】
【０００２】
従来のこの種の電気掃除機の一例が、特許文献１に開示されている。この従来技術によれば、サイクロン機構を用いた集塵装置は、シャフト管，ハンドル管およびホースを経て、電動送風機が備えられた掃除機本体へと繋がっている。集塵装置は円筒状に形成され、塵埃を含んだ空気は円筒の内周の接線方向から取り入れられる。
【０００３】
取り込まれた塵埃および空気は円筒内で旋回し、塵埃のうち綿ゴミや砂ゴミなどの比較的大きな埃は、遠心力によって空気と分離される。分離された埃は自重で落下し、下方に設けられた集塵室に収容される。一方、集塵装置では分離できなかった小さな埃は、掃除機本体内のダストコンテナで空気と分離される。集塵室およびダストコンテナはいずれも着脱自在である。集塵室に堆積した埃は、集塵室を集塵装置から取り外しかつ開口部を下に向けることで、ゴミ箱に廃棄される。一方、ダストコンテナに堆積した埃は、ダストコンテナとともに廃棄される。
【特許文献１】特開平１０−８５１５９号公報［Ａ４７Ｌ  ９／１６］
【発明の開示】
【発明が解決しようとする課題】
【０００４】
しかし、集塵室内に堆積した埃の一部は、開口部を下に向けても落下せず、集塵室に残存する。かかる埃は、水洗いなどでしか取り除くことができず、集塵室のメンテナンスに手間がかかる。
【０００５】
それゆえに、この発明の主たる目的は、集塵室に残存する埃を容易に取り除くことができる、集塵装置を提供することである。
【課題を解決するための手段】
【０００６】
請求項１の発明に従う集塵装置は、吸気口から吸入された外気を旋回器で旋回させて塵埃と空気とを互いに分離し、塵埃を集塵ケースに堆積させ、空気を排気口に装着された排気管を通して排出する集塵装置において、排気管が挿入される孔を有する隔壁によって旋回器と排気口とを分離し、排気管の一方端から第１距離を隔てた位置に第１端部を有し、かつ排気管の他方端から第２距離を隔てた位置に第２端部を有する係合部材を排気管の外周面に形成し、隔壁と第１端部および第２端部の一方とを当接させることによって排気管の挿入位置を規定するようにしたことを特徴とする。
【０００７】
吸気口から吸入された外気は旋回器によって旋回され、これによって塵埃と空気とが互いに分離される。分離された塵埃は集塵ケースに堆積し、分離された空気は排気口に装着された排気管を通して排出される。ここで、旋回器と排気口とは、排気管が挿入される孔を有する隔壁によって分離される。また、排気管の外周には、排気管の一方端から第１距離を隔てた位置に第１端部を有し、かつ排気管の他方端から第２距離を隔てた位置に第２端部を有する係合部材が形成される。排気管の挿入位置は、隔壁と第１端部および第２端部の一方とを当接させることによって規定される。
【０００８】
したがって、排気管を第１端部および第２端部のいずれから挿入するかによって、挿入された端部から集塵ケースの内壁までの距離が相違する。この距離の相違によって、第１端部および第２端部の一方から挿入したときは、旋回器によって分離された空気のみを排出することができ、第１端部および第２端部の他方を挿入したときは、集塵ケースに堆積された塵埃を排出することができる。この結果、集塵ケースに残存する埃の除去が可能となる。
【０００９】
請求項２の発明に従う集塵装置は、請求項１に従属し、排気管の一方端および他方端はテーパ状に形成される。これによって、排気管を別の管に接続でき、空気または塵埃の排出作業が容易になる。
【００１０】
請求項３の発明に従う集塵装置は、請求項２に従属し、排気管の長さ方向に対するテーパ面の角度は一方端および他方端の間で互いに一致する。これによって、排気管に接続する別の管を空気の排出および塵埃の排出のために共用できる。
【００１１】
請求項４の発明に従う集塵装置は、請求項１ないし３のいずれかに従属し、第１距離は集塵ケースに堆積した塵埃の排出を防止できる距離であり、第２距離は集塵ケースに堆積した塵埃の排出を可能とする距離である。排出管を第１端部から挿入したときは通常の使用に適し、排出管を第２端部から挿入したときは塵埃の除去に適する。
【発明の効果】
【００１２】
この発明によれば、第１端部および第２端部の一方から挿入したときは、旋回器によって分離された空気のみを排出することができ、第１端部および第２異端部の他方を挿入したときは、集塵ケースに堆積された塵埃を排出することができる。この結果、集塵ケースに残存する埃の除去が可能となる。
【００１３】
この発明の上述の目的、その他の目的、特徴および利点は、図面を参照して行う以下の実施例の詳細な説明から一層明らかとなろう。
【発明を実施するための最良の形態】
【００１４】
図１に示すこの発明の一実施例である電気掃除機１０は、塵埃を空気と共に取り入れる床用吸込具１２とサイクロン式集塵装置１６、掃除機本体２８を持つ。床用吸込具１２はシャフト管１４によって集塵装置１６に接続されており、集塵装置１６は、ハンドル管２４とホース２６を介して掃除機本体２８へ繋がっている。
【００１５】
ハンドル管２４は、電気掃除機１０を動作させるためのスイッチ２４ａを含む。スイッチ２４ａでの電源のオン／オフ操作は、ホース２６に含まれているコードを経て、掃除機本体２８の電動送風機３２に伝えられる。掃除機本体２８はこの他に、紙パック３０や排気口３４を含む。
【００１６】
図２はサイクロン式集塵装置１６の分解図である。この図に示されているように、集塵装置１６は、旋回器１８と透明な部材で作られた集塵室２０、旋回器１８の上部に取り付けられ空気の排出路を形成する排気ガイド２２で構成されている。
【００１７】
旋回器１８には、シャフト管１４と接続される部分に吸気ガイド１８ａが形成されており、床用吸込具１２から取り込まれた吸気が集塵装置１６内に流れ込むようになっている。また、旋回器１８には開口１８ｃを持つ隔壁１８ｂが設けられ、排気ガイド２２の外周面にはこの隔壁１８ｂに当接する係合部材２２ｃが形成される。
【００１８】
係合部材２２ｃは断面がＬ字状に形成されており、排気ガイド２２の両端はテーパ状の開口２２ａと２２ｂを有している。開口２２ａから係合部材２２ｃの端部２２ｄまでの長さと、開口２２ｂから係合部材２２ｃの端面２２ｅまでの長さは異なっているものの、開口２２ａおよび２２ｂのいずれもハンドル管２４に嵌めこむことができるよう同じテーパ形状で成型されている。
【００１９】
通常使用時は、開口２２ａが開口１８ｃより旋回器１８に挿入され開口２２ｂにハンドル管２４が接続されて、Ｌ字状断面の端部２２ｄが隔壁１８ｂに当接する。一方、開口２２ｂが開口１８ｃより旋回器１８に挿入され開口２２ａにハンドル管２４が接続される時は、Ｌ字状断面の端面２２ｅが隔壁１８ｂに当接する。
【００２０】
図４に示されているように電気掃除機１０の電動送風機３２が作動すると、床用吸込具１２から空気と共に吸い込まれた塵埃がシャフト管１４を通り、流入路１８ａから集塵装置１６内へ入る。集塵装置１６に流入した吸気は、図３中に矢印で示すように旋回器１８の円筒状の内壁部分に沿って高速で旋回する。発生した旋回気流により、吸気に含まれる糸くずや綿埃などの塵埃には遠心力が作用するので集塵装置１６内で外側に移動する。塵埃は空気に比べると質量差があるので、自重により落下して集塵室２０底面に堆積する。
【００２１】
一方、電気掃除機１０中の作動流体である空気には空気中での相対質量がないので、遠心力が作用せず排気ガイド２２の開口２２ａから吸引され、ハンドル管２４、ホース２６を通り、掃除機本体２８へ吸い込まれる。
【００２２】
開口２２ａは集塵室２０の底面から十分離れており、開口２２ａから係合部材２２ｃが隔壁１８ｂと当接している端部２２ｄまでの寸法は、塵埃が分離された空気のみが吸い込まれて堆積している塵埃が吸い込まれない長さに成型されている。
【００２３】
掃除機本体２８の内部では、集塵装置１６では分離しきれなかった小さな粒子が紙パック３０で分離され、完全に塵埃が取り除かれた空気が電動送風機３２を通り、排気口３４から外部へ排気される。
【００２４】
堆積した塵埃は旋回器１８から集塵室２０を取り外して廃棄される。そのため、集塵室２０は旋回器１８から簡単に取り外しが可能であるように、旋回器１８の下部に嵌めこむような構成になっている。これらは、使用時に衝撃などを受けて外れてしまわないように凹凸の部材や螺子状の結合などにより固定されている。
【００２５】
集塵室２０に堆積した塵埃が廃棄された後、集塵室２０の底面には依然として細かい塵埃が残っている。この場合には、図５に示すように排気ガイド２２を通常使用時とは逆の向きに取り付けて開口２２ｂを集塵装置内に入れ、開口２２ａをハンドル管２４に接続して電動送風機３２を動作させる。
【００２６】
このとき開口２２ｂは集塵室２０の底面付近に位置しており、通常床面を清掃する場合に集塵室２０の底面に作用する吸引力よりも大きな力が集塵室２０の底面に作用するので、粒子の細かい埃は強い吸引力を受け、集塵室２０から取り除かれる。従って、開口２２ｂから係合部材２２ｃが隔壁１８ｂと当接している端面２２ｅまでの寸法は、集塵室２０の底面付近に付着している塵埃が吸い込まれるような長さに成型されている。
【００２７】
吸い込まれた粒子の細かい埃は、掃除機本体２８に備えられた紙パック３０に収容される。塵埃を収容した紙パック３０は掃除機本体２８から取り外して廃棄される。したがって、集塵室２０を水洗いすることなく細かい埃を除去することが可能となり、掃除機本体２８の紙パック３０に収容される廃棄物の量もわずかであるので取替えを頻繁に行う必要がなく、メンテナンスが容易である。
【００２８】
尚、本件発明の実施例では電気掃除機本体に紙パックが備えられた例が開示されているが、掃除機本体に紙パックが備えられていない場合でも、メンテナンス用に紙パックを備えた別の電気掃除機を用意して集塵装置に接続し、集塵室の底にたまった細かい塵埃を吸引除去してもよい。
【図面の簡単な説明】
【００２９】
【図１】この発明の一実施例である電気掃除機の全体構成図である。
【図２】上記電気掃除機のサイクロン式集塵装置の分解図である。
【図３】上記集塵装置のA-A断面図である。
【図４】清掃時の上記集塵装置断面図である。
【図５】上記集塵装置底面の塵埃吸込み時の断面図である。
【符号の説明】
【００３０】
１０・・・電気掃除機
１４・・・シャフト管
１６・・・集塵装置
１８・・・旋回器
２０・・・集塵室
２２・・・排気ガイド
２４・・・ハンドル管
２８・・・掃除機本体
３０・・・紙パック
３２・・・電動送風機
【図１】
2005211546.tif 000003
【図２】
2005211546.tif 000004
【図３】
2005211546.tif 000005
【図４】
2005211546.tif 000006
【図５】
2005211546.tif 000007